(57)【要約】【課題】デジタルカメラに設けられる画像用液晶ディスプレイに、撮影画像とは異なる文字等の情報を表示可能にすると共に、画像用液晶ディスプレイを照明するバックライトの消費電力を可及的に抑える。【解決手段】画像表示装置１４０に、液晶表示素子２１と、画像照明手段２２と、情報照明手段２３と、光学フィルタ２７、２８とを設ける。また、液晶表示素子２１の画像表示領域Ｅ３の一部に情報表示領域Ｅ２を規定する。画像および画像とは異なる情報を表示する場合、画像照明手段２２と情報照明手段２３を点灯させる。画像とは異なる情報のみを表示する場合、情報照明手段２３を点灯させる。【選択図】図７
2006148973.tif 000002
【特許請求の範囲】
【請求項１】
液晶表示素子であって、イメージセンサから読み出される被写体像に応じた画像信号に基づいて画像を表示するための画像表示領域と、前記画像とは異なる情報を表示するための情報表示領域とを有する単一の画像表示手段と、
前記画像表示手段の前記画像表示領域を照明するための画像照明手段と、
前記画像表示手段の前記情報表示領域を照明するための情報照明手段と、
前記情報照明手段の発する光を前記情報表示領域のみに照射させる光学フィルタとを備え、
前記画像表示領域の一部が前記情報表示領域であって、
前記情報照明手段が、前記画像表示手段が前記画像とは異なる情報のみを前記情報表示領域に表示するとき、前記光学フィルタを介して前記情報表示領域のみを照明し、 
前記画像照明手段が、前記画像表示手段が前記画像および前記画像とは異なる情報を前記画像表示領域に表示するとき、前記画像表示領域を照明することを特徴とするデジタルカメラの画像表示装置。
【請求項２】
前記画像照明手段が、蛍光管であることを特徴とする請求項１に記載のデジタルカメラの画像表示装置。
【請求項３】
前記情報照明手段が、発光ダイオードであることを特徴とする請求項１に記載のデジタルカメラの画像表示装置。
【請求項４】
前記画像表示手段が前記画像を前記画像表示領域に表示するとともに前記情報表示領域に前記画像とは異なる情報を重ねて表示する場合、前記画像照明手段が前記画像表示領域を照明するとともに、前記情報照明手段が前記情報表示領域を照明することを特徴とする請求項１に記載のデジタルカメラの画像表示装置。
【発明の詳細な説明】
【技術分野】
【０００１】
本発明は、デジタルカメラに設けられる、画像を表示するための液晶表示装置等の画像表示装置に関する。
【背景技術】
【０００２】
従来デジタルカメラとして、日付、動作モード等の情報を表示するための情報用表示装置と、撮影画像を表示するための画像用表示装置とを有するものが知られている。
【発明の開示】
【発明が解決しようとする課題】
【０００３】
このようなデジタルカメラでは、２つの表示装置を有するため、部品数が多く、構造が複雑であった。そこで情報用表示装置を省いて、画像用表示装置に情報も表示する構成が考えられる。しかしながら近年画像用表示装置として、バックライト型の液晶表示装置が使用され、この液晶表示装置の表示パネルを照明するために蛍光管が使用される傾向があり、この液晶ディスプレイでは情報のみを表示する際にも、蛍光管を点灯する必要があって、蛍光管による消費電力が大きくなってしまうという問題があった。
【０００４】
本発明は、デジタルカメラに設けられる画像用液晶ディスプレイに、撮影画像とは異なる文字等の情報を表示可能にすると共に、画像用液晶ディスプレイを照明するバックライトの消費電力を可及的に抑えることを目的とする。
【課題を解決するための手段】
【０００５】
本発明に係るデジタルカメラの画像表示装置は、液晶表示素子であって、イメージセンサから読み出される被写体像に応じた画像信号に基づいて画像を表示するための画像表示領域と、画像とは異なる情報を表示するための情報表示領域とを有する単一の画像表示手段と、画像表示手段の画像表示領域を照明するための画像照明手段と、画像表示手段の情報表示領域を照明するための情報照明手段と、情報照明手段の発する光を情報表示領域のみに照射させる光学フィルタとを備え、画像表示領域の一部が情報表示領域であって、情報照明手段が、画像表示手段が画像とは異なる情報のみを情報表示領域に表示するとき、光学フィルタを介して情報表示領域のみを照明し、 画像照明手段が、画像表示手段が画像および画像とは異なる情報を画像表示領域に表示するとき、画像表示領域を照明することを特徴とする。
【０００６】
好ましくは、画像照明手段が、蛍光管である。
【０００７】
好ましくは、情報照明手段が、発光ダイオードである。
【０００８】
好ましくは、画像表示手段が画像を画像表示領域に表示するとともに情報表示領域に画像とは異なる情報を重ねて表示する場合、画像照明手段が画像表示領域を照明するとともに、情報照明手段が情報表示領域を照明する。
【発明の効果】
【０００９】
以上のように本発明によれば、デジタルカメラに設けられる画像用液晶ディスプレイに、撮影画像とは異なる文字等の情報が表示可能になると共に、画像用液晶ディスプレイを照明するバックライトの消費電力が可及的に抑えられる。
【発明を実施するための最良の形態】
【００１０】
以下、本発明の第１の実施形態を図面を参照して説明する。図１は、本発明の第１の実施形態であるデジタルカメラを示す斜視図である。
【００１１】
デジタルカメラ１０は、被写体像を撮影し、撮影画像を内蔵メモリに記録する装置であって、本体１１と画像表示装置２０とにより構成されるものである。
【００１２】
デジタルカメラ１０の本体１１の上面１１ａには、画像表示装置２０がヒンジ部１１ｄを支軸にして矢印Ｘ方向に回動可能に設けられる。画像表示装置２０には、バックライト型の液晶表示素子（ＬＣＤ）２１が設けられ、そこには撮影画像または記録画像が表示可能である。図１には示されないが、画像表示装置２０の内部にはＬＣＤ２１を照明するための照明装置が設けられ、この照明装置は後述するように２つの照明手段から成る。
【００１３】
本体１１の上面１１ａには、撮影画像を内蔵メモリに記録するためのレリーズボタン５１と、デジタルカメラ１０の動作モードを切替えるためのモード切替ボタン５３と、ＬＣＤ２１を照明するための２つの照明手段を切替えるための照明切替ボタン５２とが設けられる。
【００１４】
デジタルカメラ１０の正面側すなわち本体１１の正面１１ｂ（図１では見えない）には、レンズ鏡筒１９が設けられ、レンズ鏡筒１９には撮影レンズ１８が取付けられている。本体１１の背面１１ｃには、デジタルカメラ１０を駆動するための電源スイッチ５９が設けられる。
【００１５】
図２は画像表示装置２０のＬＣＤ２１を示している。ＬＣＤ２１は、符号Ａから符号Ｂの間の領域すなわち画像表示領域Ｅ１と、符号Ｂから符号Ｃの間の領域すなわち情報表示領域Ｅ２とに分割され、画像表示領域Ｅ１には、撮影画像または記録画像が表示可能である。情報表示領域Ｅ２には、画像以外の情報が表示可能であり、この情報は例えば日付、動作モード、撮影可能枚数等を示す文字または図形である。
【００１６】
なお図２にはＬＣＤ２１の分割領域を暫定的に示しており、ＬＣＤ２１はどのような領域で分割されてもよい。
【００１７】
図３を参照して画像表示装置２０の構成について説明する。図３は画像表示装置２０を模式的に示す側断面図である。
【００１８】
画像表示装置２０のＬＣＤ２１の背面側には、光を拡散する拡散板２４を介して、２つの照明手段が配設される。この２つの照明手段の一方は画像表示領域Ｅ１を照明するための画像照明手段２２であり、その他方は情報表示領域Ｅ２を照明するための情報照明手段２３である。この情報照明手段２３の消費電力は画像照明手段２２の消費電力より低い。
【００１９】
画像照明手段２２は、エッジライト型であり、一端に光源２２ｂが設けられる。この光源２２ｂは蛍光管であり、蛍光管２２ｂの光が反射板２２ｃにより反射され、導光板２２ａを伝導し、拡散板２４により拡散されることによって、上方の画像表示領域Ｅ１が照明される。
【００２０】
情報照明手段２３は、情報表示領域Ｅ２に沿って配置された２〜３個の発光ダイオードにより構成される。発光ダイオードの１個当たりの消費電力は光源２２ｂの１０分の１以下なので、情報照明手段２３の消費電力は光源２２ｂに比べて十分低くなる。この情報照明手段２３から出射された光が拡散板２４により拡散されて、情報表示領域Ｅ２が照明される。
【００２１】
図３、図４を参照してデジタルカメラ１０の電気的構成について説明する。図４はデジタルカメラ１０を示すブロック図である。このデジタルカメラ１０の制御は中央演算処理ユニット（ＣＰＵ）４０により行われる。
【００２２】
デジタルカメラ１０には、バッテリ４６が設けられ、このバッテリ４６には直流／直流（ＤＣ／ＤＣ）コンバータ４５を介して各回路が接続される。バッテリ４６の電圧は、ＤＣ／ＤＣコンバータ４５により安定化され、電源スイッチ５９をＯＮに切替えることにより各回路が駆動される。
【００２３】
電源スイッチ５９がＯＮに切替えられると、日付、動作モード等の情報のみがＬＣＤ２１に表示される。すなわち、ＣＰＵ４０が取得した日付、動作モード等の情報に応じた文字、図形データが読込み専用メモリ（ＲＯＭ）４９から読み出され、ＬＣＤ信号処理回路６１によりＬＣＤ２１の情報表示領域Ｅ２に、文字、図形データに基づく文字または図形が表示される。この情報の表示にともない、駆動回路６３により情報照明手段２３のみが点灯され、ＬＣＤ２１の情報表示領域Ｅ２が照明される。
【００２４】
モード切替ボタン５３を押下することにより、デジタルカメラの動作モードが切替えられる。例えばモード切替ボタン５３を１回押下すると、動作モードが撮影モードに切替えられ、次に２回目の押下が行なわれると、動作モードが再生モードに切替えられ、さらに３回目の押下が行なわれると、動作モードが記録モードに切替えられる。その後モード切替ボタン５３が押下されると、１回目から３回目の押下と同様に動作モードの切替が繰り返される。
【００２５】
モード切替ボタン５３により動作モードが撮影モードに切替られたとき、センサ駆動回路３３によりイメージセンサ（エリアセンサ）３０が駆動される。これにより被写体からの光が撮影レンズ１８を介してイメージセンサ３０により検出されて、被写体像に対応する電気的な画像信号に変換される。この画像信号は増幅器（Ａｍｐ）３１により増幅されて、アナログ／デジタル（Ａ／Ｄ）変換器３２によりアナログ信号からデジタル信号に変換される。デジタル画像信号は画像処理回路（ＤＳＰ）４１においてシェーディング補正、補間処理等の処理を施され、メモリコントローラ４２により画像メモリ４３に一旦格納される。
【００２６】
画像メモリ４３からメモリコントローラ４２によりデジタル画像信号が読み出され、ＬＣＤ信号処理回路６１においてアナログのビデオ信号に変換され、この信号に基づく画像がＬＣＤ２１の画像表示領域Ｅ１に表示される。この画像表示とともに駆動回路６２により画像照明手段２２が点灯され、ＬＣＤ２１の画像表示領域Ｅ１が照明される。このときＬＣＤ２１には画像と情報が表示されており、画像照明手段２２と情報照明手段２３が共に点灯されている。
【００２７】
撮影モードでは、イメージセンサ３０による被写体の撮像が連続的に行なわれ、ＬＣＤ２１の画像表示領域Ｅ１には動画が表示される。この撮影モードでは、動画を確認しながら画角調整や調整ダイヤル（不図示）によるマニュアル露出補正などが行われる。モード切替ボタン５３により撮影モードに切替えられると、撮影モードが終了するまで画像照明手段２２は点灯し続ける。
【００２８】
モード切替ボタン５３を押下することにより動作モードが記録モードに切替えられると、画像照明手段２２が消灯され、イメージセンサ３０による被写体の撮像と、ＬＣＤ２１の画像表示領域Ｅ１の表示とが終了する。この状態でレリーズボタン５１が半押しされると、上述と同様に、イメージセンサ３０により被写体像に対応する画像信号が検出され、この信号にＡｍｐ３１、Ａ／Ｄ変換器３２、ＤＳＰ４１により所定の処理を施したデジタル画像信号が一旦画像メモリ４３に格納される。このデジタル画像信号がメモリコントローラ４２により画像メモリ４３から読み出され、ＬＣＤ信号処理回路６１によりアナログのビデオ信号に変換され、画像が画像表示領域Ｅ１に表示される。レリーズボタン５１が半押しされている間、イメージセンサ３０による被写体像の撮像が連続的に行われるため、動画像がＬＣＤ２１の画像表示領域Ｅ１に表示される。これにより、記録直前の被写体像を確認することができる。動画像が表示されている間、画像照明手段２２が駆動回路６２により点灯され、ＬＣＤ２１の画像表示領域Ｅ１が照明される。
【００２９】
ＬＣＤ２１の画像表示領域Ｅ１に表示された動画像が操作者により確認され、レリーズボタン５１が全押しされると、全押し直前に画像メモリ４３に格納されていたデジタル画像信号がメモリコントローラ４２により読み出され、内蔵メモリ４４に格納される。この内臓メモリ４４に格納される静止画像は、ＬＣＤ２１の画像表示領域Ｅ１に表示され、記録された画像を確認することが可能となる。この静止画像の表示は数秒間行われ、静止画像の表示が終了するとともに画像照明手段２２が消灯される。そして、レリーズボタン５１を操作するたびに上述の動作が繰り返される。なお、レリーズボタン５１の半押し状態からレリーズ操作を解除すると、画像表示領域Ｅ１での動画像の表示が即座に終了し、画像照明手段２２が消灯される。
【００３０】
モード切替ボタン５３を押下することにより動作モードが再生モードに切替えられると、画像照明手段２２が消灯され、ＬＣＤ２１の画像表示領域Ｅ１の表示が終了する。内蔵メモリ４４からデジタル画像信号が読み出され、ＬＣＤ信号処理回路６１においてＬＣＤ２１に対応するビデオ信号に変換され、このビデオ信号に基づく画像がＬＣＤ２１の画像表示領域Ｅ１に表示される。この画像表示とともに、画像照明手段２２が点灯され、ＬＣＤ２１の画像表示領域Ｅ１が照明される。
【００３１】
以上のように画像が表示されるときのみ、画像照明手段２２が点灯される。また情報照明手段２３は電源スイッチ５９がＯＮに切替えられると点灯され、電源スイッチ５９がＯＦＦに切替えられると消灯される。
【００３２】
なお照明切替ボタン５２により強制的に、画像照明手段２２と情報照明手段２３の点灯および消灯を制御することも可能である。例えば照明切替ボタン５２が１回押下されると、画像照明手段２２が点灯され、次に２回目の押下が行なわれると、情報照明手段２３が点灯され、さらに３回目の押下が行なわれると、画像照明手段２２が消灯され、そして４回目の押下が行なわれると、情報照明手段２３が消灯される。この後の照明切替ボタン５２の押下では、１回目から４回目の状態が繰り返される。
【００３３】
またデジタルカメラ１０はコンピュータ等の外部装置に接続可能であり、ＣＰＵ４０の指令に応じて、内蔵メモリ４４からデジタルの画像信号が読み出され、インターフェース８０を介して、外部装置へと出力される。
【００３４】
以上のように第１の実施形態によれば、デジタルカメラ１０に設けられるＬＣＤ２１の画像表示領域Ｅ１には、撮像または記録した画像が表示可能であり、情報表示領域Ｅ２には、日付、動作モード等の情報を示す文字または図形が表示可能である。すなわち画像を表示するためのＬＣＤ２１に、情報が表示されるため、情報表示用のＬＣＤを設ける必要がなく、部品数が削減され、構成が単純化される。また消費電力の高い画像照明手段２２と、情報照明手段２３とを設け、情報照明手段２３により情報表示領域Ｅ２が照明されるため、情報表示領域Ｅ２のみを照明する際、消費電力の高い画像照明手段２２を使用する必要がなく、消費電力が抑えられる。
【００３５】
図５を参照して第２の実施形態について説明する。図５は第２の実施形態のデジタルカメラに設けられる画像表示装置１２０を模式的に示す側断面図である。第２の実施形態が第１の実施形態と異なる点は、画像表示装置１２０の構成であり、その他の点は同様である。以下異なる点についてのみ説明する。
【００３６】
画像表示装置１２０はＬＣＤ２１を有する。ＬＣＤ２１の画像表示領域Ｅ１と情報表示領域Ｅ２の背面側には、画像照明手段２２が拡散板２４を介して設けられる。ＬＣＤ２１と拡散板２４の間に向かって光を照射する情報照明手段２３が配設され、この情報照明手段２３の光軸に対して４５度の角度を有するようにハーフミラー２６が配置される。
【００３７】
デジタルカメラの電源がＯＮされた状態のとき、すなわち情報のみがＬＣＤ２１の情報表示領域Ｅ２に表示されるとき、情報照明手段２３のみが点灯される。情報照明手段２３から出射された光の一部はハーフミラー２６により反射され、情報表示領域Ｅ２に入射する。これにより情報表示領域Ｅ２が照明される。
【００３８】
ＬＣＤ２１に画像を表示するときのみ、画像照明手段２２が点灯され、情報照明手段２３が消灯される。画像照明手段２２は平面蛍光管２２ｄと反射板２２ｅとにより構成され、画像照明手段２２の上方へ光を出射する。この光が拡散板２４により拡散され、ＬＣＤ２１の画像表示領域Ｅ１が照明される。また画像照明手段２２の光の一部がハーフミラー２６を透過して、情報表示領域Ｅ２が照明される。
【００３９】
画像照明手段２２が消灯されると、情報照明手段２３が点灯され、情報表示領域Ｅ２のみが照明される。なお画像照明手段２２は第１の実施形態と同様にエッジライト型のバックライトであってもよい。
【００４０】
以上のように第２の実施形態においても、第１の実施形態と同様に、デジタルカメラに設けられるＬＣＤ２１には、撮像または記録した画像と、日付、動作モード等の情報とが表示可能であり、情報表示用のＬＣＤを設ける必要がなく、部品数が削減され、構成が単純化される。また情報のみがＬＣＤ２１に表示される際、情報照明手段２３により情報表示領域Ｅ２が照明されるため、消費電力が抑えられる。さらに第２の実施形態では、ＬＣＤ２１に画像を表示する際、画像照明手段２２のみが点灯され、情報表示領域Ｅ２も画像照明手段２２により照明されるので、第１の実施形態よりも消費電力が削減される。
【００４１】
図６を参照して第３の実施形態について説明する。図６は第３の実施形態のデジタルカメラに設けられる画像表示装置１３０を模式的に示す側断面図である。第３の実施形態が第１の実施形態と異なる点は、画像表示装置１３０の構成であって、その他の点は同様である。以下異なる点についてのみ説明する。
【００４２】
画像表示装置１３０はＬＣＤ２１を有する。ＬＣＤ２１の符号Ａから符号Ｃの間の領域すなわち全面（以下画像表示領域という）Ｅ３には画像が表示可能であり、特に画像表示領域Ｅ３の一部すなわち情報表示領域Ｅ２には、画像と重ね合わせるように情報も表示可能である。
【００４３】
ＬＣＤ２１の画像表示領域Ｅ３の背面側には、拡散板２５を介して画像照明手段２２が設けられる。拡散板２５の一端（符号２５ａ）は屈折しており、この屈折部２５ａに対して情報照明手段２３が設けられる。
【００４４】
デジタルカメラの電源がＯＮされた状態のとき、すなわち情報のみがＬＣＤ２１に表示されるとき、情報照明手段２３のみが点灯される。情報照明手段２３から出射された光は拡散板２５の屈折部２５ａにより拡散され、情報表示領域Ｅ２に斜方向から入射する。これにより情報表示領域Ｅ２が照明される。
【００４５】
ＬＣＤ２１に画像を表示するときのみ、画像照明手段２２が点灯され、情報照明手段２３が消灯される。画像照明手段２２はエッジライト型であり、光源２２ｂと反射板２２ｃと導光板２２ａにより構成され、画像照明手段２２の上方へ光を出射する。この光が拡散板２５により拡散され、ＬＣＤ２１の画像表示領域Ｅ３が照明される。このとき情報表示領域Ｅ２には、情報も画像に重ね合わせるように表示可能である。
【００４６】
画像照明手段２２が消灯されると、情報照明手段２３が点灯され、情報表示領域Ｅ２のみが照明され、情報表示領域Ｅ２には情報が表示される。なお画像照明手段２２は第２の実施形態と同様に平面蛍光管であってもよい。
【００４７】
以上のように第３の実施形態によれば、第１の実施形態と同様に、デジタルカメラに設けられるＬＣＤ２１には、撮像または記録した画像と、日付、動作モード等の情報とを表示させることにより、部品数が削減され、構成が単純化される。また情報のみがＬＣＤ２１に表示される際、情報照明手段２３が使用されるため、消費電力が抑えられる。さらに画像を表示する際、ＬＣＤ２１の画像表示領域Ｅ３が画像照明手段２２により照明されるため、情報表示領域Ｅ２にも画像が表示可能となる。
【００４８】
図７、図８を参照して第４の実施形態について説明する。第４の実施形態が第３の実施形態と異なる点は、画像表示装置１４０に光学フィルタ２７、２８を用い、また、画像とともに情報をＬＣＤ２１に表示する場合、画像照明手段２２と情報照明手段２３をともに点灯させる点である。その他の点は同様である。以下異なる点についてのみ説明する。
【００４９】
画像表示装置１４０のＬＣＤ２１の下面には、光学フィルタ２７が符号Ａから符号Ｂの間の領域、すなわち画像表示領域Ｅ３から情報表示領域Ｅ２を除いた部分領域Ｅ１に対応して貼付される。
【００５０】
ＬＣＤ２１の画像表示領域Ｅ３の背面側には、拡散板２５を介して画像照明手段２２が設けられ、拡散板２５の一端（符号２５ａ）は屈折しており、この屈折部２５ａに対して光学フィルタ２８と情報照明手段２３とが設けられる。
【００５１】
図８には、画像照明手段２２の発光スペクトル分布Ｌ２０と、情報照明手段２３の発光スペクトル分布Ｌ１０と、光学フィルタ２７の分光特性Ｌ３０および光学フィルタ２８の分光特性Ｌ４０が示されている。光学フィルタ２７の分光特性Ｌ３０は、発光スペクトル分布Ｌ２０の全域をカバーしている。すなわち、光学フィルタ２７は、画像照明手段２２から出射される光をすべて透過させる。情報照明手段２３の発光スペクトル分布Ｌ１０の一部の波長領域は、画像照明手段２２の発光スペクトル分布Ｌ２０の領域と重なる。しかしながら、光学フィルタ２８は、その重なる波長領域の光、すなわち分光特性Ｌ４０の範囲外の領域の光を透過させない。したがって、情報照明手段２３からフィルタ２８を介して出射する光の波長領域は、フィルタ２７の分光特性Ｌ３０の範囲外の領域であり、情報照明手段２３からの光は部分領域Ｅ１に伝達されない。
【００５２】
デジタルカメラの電源がＯＮされた状態の時、すなわち情報のみがＬＣＤ２１に表示される時、情報照明手段２３のみが点灯される。情報照明手段２３から出射された光は、光学フィルタ２８を介して拡散板２５の屈折部２５ａにより拡散され、情報表示領域Ｅ２に斜方向から入射する。部分領域Ｅ１に入射された一部の情報照明手段２３の光は、光学フィルタ２７により遮断される。
【００５３】
画像照明手段２２は平面蛍光管２２ｄと反射板２２ｅとにより構成され、画像照明手段２２の上方へ光を出射する。この光が拡散板２５により拡散され、ＬＣＤ２１の画像表示領域Ｅ３が照明される。このとき情報表示領域Ｅ２には、画像と重ね合わせるように情報を表示することができる。
【００５４】
画像表示領域Ｅ３に画像を表示するとともに情報も情報表示領域Ｅ２に表示する場合、画像照明手段２２と情報照明手段２３が点灯される。情報領域Ｅ２は、画像照明手段２２と情報照明手段２３で照明されるため、部分領域Ｅ１に比べて照度が高い。このように情報表示領域Ｅ２がハイライト領域となるため、表示される情報と似たような色をした画像を背景にしても、情報を容易に確認することができる。
【００５５】
画像照明手段２２が消灯されると、情報照明手段２３が点灯され、情報表示領域Ｅ２のみが照明され、情報表示領域Ｅ２には情報が表示される。なお画像照明手段２２は第３の実施形態と同様にエッジライト型であってもよい。
【００５６】
以上のように第４の実施形態によれば、第３の実施形態と同様に、デジタルカメラに設けられるＬＣＤ２１には、撮像または記録した画像と、日付、動作モード等の情報とを表示させることにより、部品数が削減され、構成が単純化される。また情報のみがＬＣＤ２１に表示される際、情報照明手段２３が使用されるため、消費電力が抑えられる。さらにＬＣＤ２１の画像表示領域Ｅ３が画像照明手段２２により照明されるため、情報表示領域Ｅ２にも画像が表示可能となる。
【００５７】
光学フィルタ２７、光学フィルタ２８により、情報照明手段２３から出射した光は、情報表示領域Ｅ２にだけ入射される。したがって、画像と情報をＬＣＤ２１に表示する場合、部分領域Ｅ１と情報表示領域Ｅ２との境界が明確となる。
【００５８】
なお、情報照明手段２３の光源として、その分光スペクトルの波長領域が画像照明手段２２の発光スペクトル分布Ｌ２０の波長領域と重ならない光源を適用させてもよい。この場合、フィルタ２８を使用しなくてよい。
【図面の簡単な説明】
【００５９】
【図１】本発明の第１の実施形態であるデジタルカメラを示す斜視図である。
【図２】画像表示装置の液晶表示素子を示す図である。
【図３】画像表示装置を模式的に示す側断面図である。
【図４】第１の実施形態のデジタルカメラを示すブロック図である。
【図５】第２の実施形態のデジタルカメラに設けられる画像表示装置を模式的に示す側断面図である。
【図６】第３の実施形態のデジタルカメラに設けられる画像表示装置を模式的に示す側断面図である。
【図７】第４の実施形態のデジタルカメラに設けられる画像表示装置を模式的に示す側断面図である。
【図８】画像表示装置に設けられる光学フィルタの分光特性を示す図である。
【符号の説明】
【００６０】
２１ 液晶表示素子（画像表示手段）
２２ 画像照明手段
２３ 情報照明手段
Ｅ１ 画像表示領域
Ｅ２ 情報表示領域
【図１】
2006148973.tif 000003
【図２】
2006148973.tif 000004
【図３】
2006148973.tif 000005
【図４】
2006148973.tif 000006
【図５】
2006148973.tif 000007
【図６】
2006148973.tif 000008
【図７】
2006148973.tif 000009
【図８】
2006148973.tif 000010